(57)【要約】【課題】  １台の装置で、複数の画像の表示方式に対応する画像の出力を可能とする。【解決手段】  同期信号制御部３７は、複数の表示モードのうちの、ユーザにより選択された表示モードに応じた同期信号をメモリコントローラ３３に供給する。メモリコントローラ３３は、選択された表示モードに応じて、フレームバッファ３４を複数の領域に分割して、同期信号制御部３７から供給される同期信号に同期して、分割された領域の所定の領域に対する画像処理部３２から供給された画像の書き込み、および、分割された領域の他の所定の領域に記憶されている画像の読み出しを行う。本発明は、例えば、複数の表示方式に対応する画像を出力する画像処理装置に適用できる。【選択図】図６
2006301105.tif 000002
【特許請求の範囲】
【請求項１】
複数の表示モードに対応して、画像を表示装置に出力する画像処理装置において、
少なくとも２Ｎ画素の画素数分の画像を記憶する領域を有する記憶手段と、
前記複数の表示モードのなかから、１つの表示モードを選択する選択手段と、
前記選択手段により選択された表示モードに対応する同期信号を出力する同期信号出力手段と、
前記選択手段により選択された表示モードに対応して前記記憶手段を複数の領域に分割するとともに、前記同期信号出力手段が出力する前記同期信号に同期して、前記複数の領域に対する前記画像の読み出しおよび書き込みを制御する記憶制御手段と
を備え、
前記選択手段において、Ｎ画素で構成される画像を、第１のフレームレートで前記表示装置に出力する第１の表示モードが選択された場合、
前記同期信号出力手段は、前記第１のフレームレートに対応する前記同期信号を前記記憶制御手段に出力し、
前記記憶制御手段は、前記記憶手段を、それぞれがＮ画素で構成される画像を記憶する２つの領域に分割するとともに、前記同期信号出力手段が出力する前記同期信号に同期して、分割された前記２つの領域に対して交互に、Ｎ画素で構成される画像の読み出しおよび書き込みを前記第１のフレームレートで行うように制御する
ことを特徴とする画像処理装置。
【請求項２】
前記選択手段において、Ｎ／２画素で構成される４つの画像それぞれを、前記第１のフレームレートで４つの前記表示装置に出力する第２の表示モードが選択された場合、
前記同期信号出力手段は、前記第１のフレームレートに対応する前記同期信号を前記記憶制御手段に出力し、
前記記憶制御手段は、前記記憶手段を、それぞれがＮ／２画素で構成される画像を記憶する８つの領域に分割するとともに、分割された前記８つの領域を前記４つの表示装置に対して２つずつ割り当て、前記同期信号出力手段が出力する前記同期信号に同期して、前記４つの装置それぞれに割り当てられた２つの領域に対して交互に、Ｎ／２で構成される画像の読み出しおよび書き込みを前記第１のフレームレートで行うように制御する
ことを特徴とする請求項１に記載の画像処理装置。
【請求項３】
前記選択手段において、Ｎ／２画素で構成される画像を、前記第１のフレームレートの４倍のフレームレートである第２のフレームレートで前記表示装置に出力する第２の表示モードが選択された場合、
前記同期信号出力手段は、前記第２のフレームレートに対応する前記同期信号を前記記憶制御手段に出力し、
前記記憶制御手段は、前記記憶手段を、それぞれがＮ／２画素で構成される画像を記憶する８つの領域に分割するとともに、前記同期信号出力手段が出力する前記同期信号に同期して、分割された前記８つの領域に対して順に、Ｎ／２画素で構成される画像の読み出しおよび書き込みを前記第２のフレームレートで行うように制御する
ことを特徴とする請求項１に記載の画像処理装置。
【請求項４】
前記選択手段において、Ｎ／２画素で構成される画像を、４つの前記表示装置それぞれに第３のフレームレートの１／４倍のフレームレートで出力する第２の表示モードが選択された場合、
前記同期信号出力手段は、他の装置から入力される、前記第３のフレームレートに対応する前記同期信号を前記記憶制御手段に出力し、
前記記憶制御手段は、前記記憶手段を、それぞれがＮ／２画素で構成される画像を記憶する８つの領域に分割するとともに、前記同期信号出力手段が出力する前記同期信号に同期して、分割された前記８つの領域に対して順にＮ／２画素で構成される画像の読み出しおよび書き込みを前記第３のフレームレートで行うように制御し、
前記第３のフレームレートで前記記憶制御手段から読み出されたＮ／２画素で構成される画像が、４つの前記表示装置に順に出力される
ことを特徴とする請求項１に記載の画像処理装置。
【請求項５】
前記選択手段において、Ｎ／２画素で構成される４つの画像それぞれを、前記第１のフレームレートで４つの前記表示装置に出力する第２の表示モードが選択された場合、
前記同期信号出力手段は、前記第１のフレームレートに対応する前記同期信号を前記記憶制御手段に出力し、
前記記憶制御手段は、前記記憶手段を、それぞれがＮ／２画素で構成される画像を記憶する８つの領域に分割するとともに、分割された前記８つの領域を前記４つの表示装置に対して２つずつ割り当て、前記同期信号出力手段が出力する前記同期信号に同期して、前記４つの装置それぞれに割り当てられた２つの領域に対して交互に、Ｎ／２で構成される画像の読み出しおよび書き込みを前記第１のフレームレートで行うように制御し、
前記選択手段において、Ｎ／２画素で構成される画像を、前記第１のフレームレートの４倍のフレームレートである第２のフレームレートで前記表示装置に出力する第３の表示モードが選択された場合、
前記同期信号出力手段は、前記第２のフレームレートに対応する前記同期信号を前記記憶制御手段に出力し、
前記記憶制御手段は、前記記憶手段を、それぞれがＮ／２画素で構成される画像を記憶する８つの領域に分割するとともに、前記同期信号出力手段が出力する前記同期信号に同期して、分割された前記８つの領域に対して順に、Ｎ／２画素で構成される画像の読み出しおよび書き込みを前記第２のフレームレートで行うように制御し、
前記選択手段において、Ｎ／２画素で構成される画像を、４つの前記表示装置それぞれに第３のフレームレートの１／４倍のフレームレートで出力する第４の表示モードが選択された場合、
前記同期信号出力手段は、他の装置から入力される、前記第３のフレームレートに対応する前記同期信号を前記記憶制御手段に出力し、
前記記憶制御手段は、前記記憶手段を、それぞれがＮ／２画素で構成される画像を記憶する８つの領域に分割するとともに、前記同期信号出力手段が出力する前記同期信号に同期して、分割された前記８つの領域に対して順にＮ／２画素で構成される画像の読み出しおよび書き込みを前記第３のフレームレートで行うように制御し、
前記第３のフレームレートで前記記憶制御手段から読み出されたＮ／２画素で構成される画像が、４つの前記表示装置に順に出力される
ことを特徴とする請求項１に記載の画像処理装置。
【請求項６】
複数の表示モードに対応して、画像を表示装置に出力する画像処理装置の画像処理方法において、
前記複数の表示モードのなかから選択された表示モードに対応する同期信号を出力する同期信号出力ステップと、
前記選択された表示モードに対応して、少なくとも２Ｎ画素の画素数分の画像を記憶する領域を有する記憶手段を複数の領域に分割するとともに、前記同期信号出力ステップの処理により出力される同期信号に同期して、前記複数の領域に対する前記画像の読み出しおよび書き込みを制御する記憶制御ステップと
を含み、
前記選択された表示モードが、Ｎ画素で構成される画像を第１のフレームレートで前記表示装置に出力する前記第１の表示モードである場合、
前記同期信号出力ステップの処理は、前記第１のフレームレートに対応する前記同期信号を出力し、
前記記憶制御ステップの処理は、前記記憶手段を、それぞれがＮ画素で構成される画像を記憶する２つの領域に分割するとともに、前記同期信号出力ステップの処理により出力される前記同期信号に同期して、分割された前記２つの領域に対して交互に、Ｎ画素で構成される画像の読み出しおよび書き込みを前記第１のフレームレートで行うように制御する
ことを特徴とする画像処理方法。
【請求項７】
複数の表示モードに対応して、画像を表示装置に出力する処理を、コンピュータに実行させるプログラムにおいて、
前記複数の表示モードのなかから選択された表示モードに対応する同期信号を出力する同期信号出力ステップと、
前記選択された表示モードに対応して、少なくとも２Ｎ画素の画素数分の画像を記憶する領域を有する記憶手段を複数の領域に分割するとともに、前記同期信号出力ステップの処理により出力される同期信号に同期して、前記複数の領域に対する前記画像の読み出しおよび書き込みを制御する記憶制御ステップと
を含み、
前記選択された表示モードが、Ｎ画素で構成される画像を第１のフレームレートで前記表示装置に出力する前記第１の表示モードである場合、
前記同期信号出力ステップの処理は、前記第１のフレームレートに対応する前記同期信号を出力し、
前記記憶制御ステップの処理は、前記記憶手段を、それぞれがＮ画素で構成される画像を記憶する２つの領域に分割するとともに、前記同期信号出力ステップの処理により出力される前記同期信号に同期して、分割された前記２つの領域に対して交互に、Ｎ画素で構成される画像の読み出しおよび書き込みを前記第１のフレームレートで行うように制御する
ことを特徴とするプログラム。
【発明の詳細な説明】
【技術分野】
【０００１】
本発明は、画像処理装置および方法、並びにプログラムに関し、特に、１台の装置で、複数の画像の表示方式に対応する画像の出力を可能とする画像処理装置および方法、並びにプログラムに関する。
【背景技術】
【０００２】
近年、地上波ディジタル放送が開始されたり、テレビ番組などのコンテンツをディジタル信号で記録または再生するディジタル記録再生装置が普及し始め、ディジタル信号でコンテンツを配信（配布）することが一般的になりつつある。
【０００３】
映画館で上映される映画の映像についても、以前は、フィルムで撮影され、フィルムで上映されていたものが、最近では、いわゆるデジタルシネマと呼ばれるように、ディジタル信号で記録され、各映画館へ伝送され、上映されるようになってきている。
【０００４】
テレビジョン放送信号では、表示される画像の解像度（画像を構成する画素の画素数）が７２０×４８０画素（横×縦）（SD(Standard Definition)画像）の他に、１９２０×１０８０画素（HD(High Definition)画像）などもあり、画像の高解像度化が進んできている。
【０００５】
デジタルシネマにおいても同様に、映像（画像）の高解像度化や、例えば、６０Hzのフレームレートに対して２倍、４倍とした高フレームレートによる画像の表示などが要求されてくると予想される。
【０００６】
これに対して、例えば、複数のプロジェクタを用いて、実質的に高フレームレートで画像を表示させる技術がある（例えば、特許文献１参照）。
【０００７】
【特許文献１】特開２００４−２６６８０８号公報
【発明の開示】
【発明が解決しようとする課題】
【０００８】
しかしながら、デジタルシネマでは、高フレームレートによる表示の他、HD画像の４倍解像度に相当する約４０００×２０００画素による表示、または複数の表示装置に同時出力するマルチスクリーン表示など、上映する映像によって、様々な表示方式となることが考えられ、１台の装置で、上映する映像に合わせた複数の表示方式が可能であることが望ましい。
【０００９】
本発明は、このような状況に鑑みてなされたものであり、１台の装置で、複数の画像の表示方式に対応する画像の出力を可能とするものである。
【課題を解決するための手段】
【００１０】
本発明の画像処理装置は、少なくとも２Ｎ画素の画素数分の画像を記憶する領域を有する記憶手段と、複数の表示モードのなかから、１つの表示モードを選択する選択手段と、選択手段により選択された表示モードに対応する同期信号を出力する同期信号出力手段と、選択手段により選択された表示モードに対応して記憶手段を複数の領域に分割するとともに、同期信号出力手段が出力する同期信号に同期して、複数の領域に対する画像の読み出しおよび書き込みを制御する記憶制御手段とを備え、選択手段において、Ｎ画素で構成される画像を、第１のフレームレートで表示装置に出力する第１の表示モードが選択された場合、同期信号出力手段は、第１のフレームレートに対応する同期信号を記憶制御手段に出力し、記憶制御手段は、記憶手段を、それぞれがＮ画素で構成される画像を記憶する２つの領域に分割するとともに、同期信号出力手段が出力する同期信号に同期して、分割された２つの領域に対して交互に、Ｎ画素で構成される画像の読み出しおよび書き込みを第１のフレームレートで行うように制御することを特徴とする。
【００１１】
選択手段において、Ｎ／２画素で構成される４つの画像それぞれを、第１のフレームレートで４つの表示装置に出力する第２の表示モードが選択された場合、同期信号出力手段には、第１のフレームレートに対応する同期信号を記憶制御手段に出力させ、記憶制御手段には、記憶手段を、それぞれがＮ／２画素で構成される画像を記憶する８つの領域に分割させるとともに、分割された８つの領域を４つの表示装置に対して２つずつ割り当て、同期信号出力手段が出力する同期信号に同期して、４つの装置それぞれに割り当てられた２つの領域に対して交互に、Ｎ／２で構成される画像の読み出しおよび書き込みを第１のフレームレートで行うように制御させることができる。
【００１２】
選択手段において、Ｎ／２画素で構成される画像を、第１のフレームレートの４倍のフレームレートである第２のフレームレートで表示装置に出力する第２の表示モードが選択された場合、同期信号出力手段には、第２のフレームレートに対応する同期信号を記憶制御手段に出力させ、記憶制御手段には、記憶手段を、それぞれがＮ／２画素で構成される画像を記憶する８つの領域に分割させるとともに、同期信号出力手段が出力する同期信号に同期して、分割された８つの領域に対して順に、Ｎ／２画素で構成される画像の読み出しおよび書き込みを第２のフレームレートで行うように制御させることができる。
【００１３】
選択手段において、Ｎ／２画素で構成される画像を、４つの表示装置それぞれに第３のフレームレートの１／４倍のフレームレートで出力する第２の表示モードが選択された場合、同期信号出力手段には、他の装置から入力される、第３のフレームレートに対応する同期信号を記憶制御手段に出力させ、記憶制御手段には、記憶手段を、それぞれがＮ／２画素で構成される画像を記憶する８つの領域に分割させるとともに、同期信号出力手段が出力する同期信号に同期して、分割された８つの領域に対して順にＮ／２画素で構成される画像の読み出しおよび書き込みを第３のフレームレートで行うように制御させ、第３のフレームレートで記憶制御手段から読み出されたＮ／２画素で構成される画像が、４つの表示装置に順に出力されるようにさせることができる。
【００１４】
選択手段において、Ｎ／２画素で構成される４つの画像それぞれを、第１のフレームレートで４つの表示装置に出力する第２の表示モードが選択された場合、同期信号出力手段には、第１のフレームレートに対応する同期信号を記憶制御手段に出力させ、記憶制御手段には、記憶手段を、それぞれがＮ／２画素で構成される画像を記憶する８つの領域に分割させるとともに、分割された８つの領域を４つの表示装置に対して２つずつ割り当て、同期信号出力手段が出力する同期信号に同期して、４つの装置それぞれに割り当てられた２つの領域に対して交互に、Ｎ／２で構成される画像の読み出しおよび書き込みを第１のフレームレートで行うように制御させ、選択手段において、Ｎ／２画素で構成される画像を、第１のフレームレートの４倍のフレームレートである第２のフレームレートで表示装置に出力する第３の表示モードが選択された場合、同期信号出力手段には、第２のフレームレートに対応する同期信号を記憶制御手段に出力させ、記憶制御手段には、記憶手段を、それぞれがＮ／２画素で構成される画像を記憶する８つの領域に分割させるとともに、同期信号出力手段が出力する同期信号に同期して、分割された８つの領域に対して順に、Ｎ／２画素で構成される画像の読み出しおよび書き込みを第２のフレームレートで行うように制御させ、選択手段において、Ｎ／２画素で構成される画像を、４つの表示装置それぞれに第３のフレームレートの１／４倍のフレームレートで出力する第４の表示モードが選択された場合、同期信号出力手段には、他の装置から入力される、第３のフレームレートに対応する同期信号を記憶制御手段に出力させ、記憶制御手段には、記憶手段を、それぞれがＮ／２画素で構成される画像を記憶する８つの領域に分割させるとともに、同期信号出力手段が出力する同期信号に同期して、分割された８つの領域に対して順にＮ／２画素で構成される画像の読み出しおよび書き込みを第３のフレームレートで行うように制御させ、第３のフレームレートで記憶制御手段から読み出されたＮ／２画素で構成される画像が、４つの表示装置に順に出力されるようにさせることができる。
【００１５】
本発明の画像処理方法は、複数の表示モードのなかから選択された表示モードに対応する同期信号を出力する同期信号出力ステップと、選択された表示モードに対応して、少なくとも２Ｎ画素の画素数分の画像を記憶する領域を有する記憶手段を複数の領域に分割するとともに、同期信号出力ステップの処理により出力される同期信号に同期して、複数の領域に対する画像の読み出しおよび書き込みを制御する記憶制御ステップとを含み、選択された表示モードが、Ｎ画素で構成される画像を第１のフレームレートで表示装置に出力する第１の表示モードである場合、同期信号出力ステップの処理は、第１のフレームレートに対応する同期信号を出力し、記憶制御ステップの処理は、記憶手段を、それぞれがＮ画素で構成される画像を記憶する２つの領域に分割するとともに、同期信号出力ステップの処理により出力される同期信号に同期して、分割された２つの領域に対して交互に、Ｎ画素で構成される画像の読み出しおよび書き込みを第１のフレームレートで行うように制御することを特徴とする。
【００１６】
本発明のプログラムは、複数の表示モードのなかから選択された表示モードに対応する同期信号を出力する同期信号出力ステップと、選択された表示モードに対応して、少なくとも２Ｎ画素の画素数分の画像を記憶する領域を有する記憶手段を複数の領域に分割するとともに、同期信号出力ステップの処理により出力される同期信号に同期して、複数の領域に対する画像の読み出しおよび書き込みを制御する記憶制御ステップとを含み、選択された表示モードが、Ｎ画素で構成される画像を第１のフレームレートで表示装置に出力する第１の表示モードである場合、同期信号出力ステップの処理は、第１のフレームレートに対応する同期信号を出力し、記憶制御ステップの処理は、記憶手段を、それぞれがＮ画素で構成される画像を記憶する２つの領域に分割するとともに、同期信号出力ステップの処理により出力される同期信号に同期して、分割された２つの領域に対して交互に、Ｎ画素で構成される画像の読み出しおよび書き込みを第１のフレームレートで行うように制御することを特徴とする。
【００１７】
本発明においては、複数の表示モードのなかから選択された表示モードに対応する同期信号が出力され、選択された表示モードに対応して、少なくとも２Ｎ画素の画素数分の画像を記憶する領域を有する記憶手段が複数の領域に分割されるとともに、同期信号に同期して、複数の領域に対する画像の読み出しおよび書き込みが制御される。ここで、選択された表示モードが、Ｎ画素で構成される画像を第１のフレームレートで表示装置に出力する第１の表示モードである場合、第１のフレームレートに対応する同期信号が出力され、記憶手段が、それぞれがＮ画素で構成される画像を記憶する２つの領域に分割されるとともに、同期信号に同期して、分割された２つの領域に対して交互に、Ｎ画素で構成される画像の読み出しおよび書き込みが第１のフレームレートで行うように制御される。
【発明の効果】
【００１８】
本発明によれば、１台の装置で、複数の画像の表示方式に対応する画像の出力を可能とすることができる。
【発明を実施するための最良の形態】
【００１９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００２１】
請求項１に記載の画像処理装置（例えば、図６の画像再生装置１２）は、
複数の表示モードに対応して、画像を表示装置に出力する画像処理装置において、
少なくとも２Ｎ画素の画素数分の画像を記憶する領域を有する記憶手段（例えば、図６のフレームバッファ３４）と、
前記複数の表示モードのなかから、１つの表示モードを選択する選択手段（例えば、図６の操作部３９）と、
前記選択手段により選択された表示モードに対応する同期信号を出力する同期信号出力手段（例えば、図６の同期信号制御部３７）と、
前記選択手段により選択された表示モードに対応して前記記憶手段を複数の領域に分割するとともに、前記同期信号出力手段が出力する前記同期信号に同期して、前記複数の領域に対する前記画像の読み出しおよび書き込みを制御する記憶制御手段（例えば、図６のメモリコントローラ３３）と
を備え、
前記選択手段において、Ｎ画素で構成される画像を、第１のフレームレートで前記表示装置に出力する第１の表示モード（例えば、４倍解像度表示モード）が選択された場合、
前記同期信号出力手段は、前記第１のフレームレート（例えば、通常フレームレートｆ1）に対応する前記同期信号を前記記憶制御手段に出力し、
前記記憶制御手段は、前記記憶手段を、それぞれがＮ画素で構成される画像を記憶する２つの領域（例えば、図７の領域３４Aおよび３４B）に分割するとともに、前記同期信号出力手段が出力する前記同期信号に同期して、分割された前記２つの領域に対して交互に、Ｎ画素で構成される画像の読み出しおよび書き込みを前記第１のフレームレートで行う（例えば、図８に示す処理）ように制御する
ことを特徴とする。
【００２２】
請求項５に記載の画像処理装置は、
前記選択手段において、Ｎ／２画素で構成される４つの画像それぞれを、前記第１のフレームレートで４つの前記表示装置に出力する第２の表示モード（例えば、マルチ表示モード）が選択された場合、
前記同期信号出力手段は、前記第１のフレームレートに対応する前記同期信号を前記記憶制御手段に出力し、
前記記憶制御手段は、前記記憶手段を、それぞれがＮ／２画素で構成される画像を記憶する８つの領域（例えば、図９の領域３４A’乃至領域３４H’）に分割するとともに、分割された前記８つの領域を前記４つの表示装置に対して２つずつ割り当て、前記同期信号出力手段が出力する前記同期信号に同期して、前記４つの装置それぞれに割り当てられた２つの領域に対して交互に、Ｎ／２で構成される画像の読み出しおよび書き込みを前記第１のフレームレートで行う（例えば、図１０に示す処理）ように制御し、
前記選択手段において、Ｎ／２画素で構成される画像を、前記第１のフレームレートの４倍のフレームレートである第２のフレームレートで前記表示装置に出力する第３の表示モード（例えば、４倍速表示モード）が選択された場合、
前記同期信号出力手段は、前記第２のフレームレート（例えば、４倍速フレームレートｆ2）に対応する前記同期信号を前記記憶制御手段に出力し、
前記記憶制御手段は、前記記憶手段を、それぞれがＮ／２画素で構成される画像を記憶する８つの領域（例えば、図１１の領域３４A’乃至領域３４H’）に分割するとともに、前記同期信号出力手段が出力する前記同期信号に同期して、分割された前記８つの領域に対して順に、Ｎ／２画素で構成される画像の読み出しおよび書き込みを前記第２のフレームレートで行う（例えば、図１２に示す処理）ように制御し、
前記選択手段において、Ｎ／２画素で構成される画像を、４つの前記表示装置それぞれに第３のフレームレートの１／４倍のフレームレートで出力する第４の表示モード（例えば、プロジェクタ４倍速表示モード）が選択された場合、
前記同期信号出力手段は、他の装置から入力される、前記第３のフレームレート（例えば、４倍速フレームレートｆ2）に対応する前記同期信号を前記記憶制御手段に出力し、
前記記憶制御手段は、前記記憶手段を、それぞれがＮ／２画素で構成される画像を記憶する８つの領域（例えば、図１３の領域３４A’乃至領域３４H’）に分割するとともに、前記同期信号出力手段が出力する前記同期信号に同期して、分割された前記８つの領域に対して順にＮ／２画素で構成される画像の読み出しおよび書き込みを前記第３のフレームレートで行う（例えば、図１４に示す処理）ように制御し、
前記第３のフレームレートで前記記憶制御手段から読み出されたＮ／２画素で構成される画像が、４つの前記表示装置に順に出力される
ことを特徴とする。
【００２３】
請求項６に記載の画像処理方法は、
複数の表示モードに対応して、画像を表示装置に出力する画像処理装置の画像処理方法において、
前記複数の表示モードのなかから選択された表示モードに対応する同期信号を出力する同期信号出力ステップ（例えば、図１５のステップＳ７の処理）と、
前記選択された表示モードに対応して、少なくとも２Ｎ画素の画素数分の画像を記憶する領域を有する記憶手段を複数の領域に分割するとともに、前記同期信号出力ステップの処理により出力される同期信号に同期して、前記複数の領域に対する前記画像の読み出しおよび書き込みを制御する記憶制御ステップ（例えば、図１５のステップＳ１０の処理）と
を含み、
前記選択された表示モードが、Ｎ画素で構成される画像を第１のフレームレートで前記表示装置に出力する前記第１の表示モードである場合、
前記同期信号出力ステップの処理は、前記第１のフレームレートに対応する前記同期信号を出力し、
前記記憶制御ステップの処理は、前記記憶手段を、それぞれがＮ画素で構成される画像を記憶する２つの領域に分割するとともに、前記同期信号出力ステップの処理により出力される前記同期信号に同期して、分割された前記２つの領域に対して交互に、Ｎ画素で構成される画像の読み出しおよび書き込みを前記第１のフレームレートで行うように制御する
ことを特徴とする。
【００２４】
請求項７に記載のプログラムの各ステップの具体例も、請求項６に記載の画像処理方法の各ステップの発明の実施の形態における具体例と同様である。
【００２５】
以下、図を参照して、本発明の実施の形態について説明する。
【００２６】
図１は、本発明を適用した画像処理システム１の一実施の形態の構成例を示している。
【００２７】
図１の画像処理システム１は、ストレージ機器１１、画像再生装置１２、および表示装置１３により構成されている。
【００２８】
ストレージ機器１１は、例えば、ハードディスク（磁気ディスク）ドライブなどで構成され、映画やテレビ番組などのコンテンツの画像（に対応するデータ）を記憶（蓄積）している。
【００２９】
画像再生装置１２は、ストレージ機器１１から供給される画像（のデータ）に対して、例えば、MPEG(Moving Picture Experts Group）デコード処理などの所定の処理を施し、表示装置１３に供給する。
【００３０】
表示装置１３は、例えば、CRT（Cathode Ray Tube），LCD（Liquid Crystal Display：液晶ディスプレイ），GLV（Grating Light Valve），LED（Light Emitting Diode：発光ダイオード），FED（Field Emission Display）の直視型のディスプレイ、または、プロジェクタなどで構成され、画像再生装置１２から供給された画像を表示する。
【００３１】
なお、画像再生装置１２は、複数の表示モードを有しており、その複数の表示モードのなかから、表示装置１３との接続形態に応じて選択された所定の表示モードで、画像を表示装置１３に出力する。
【００３２】
そこで、図２乃至図５を参照して、画像再生装置１２が、表示装置１３との接続形態（第１乃至第４の接続形態）に応じて選択可能な表示モードについて説明する。
【００３３】
第1の接続形態は、図２に示すように、画像再生装置１２に対して、例えば、６０Hzなどのフレームレートｆ1（以下、通常フレームレートｆ1と称する）で４０００×２０００画素で構成される画像を表示可能な表示装置１３−１が接続された形態である。この場合、画像再生装置１２は、４倍解像度表示モードとして動作し、４０００×２０００画素で構成される画像（以下、適宜、４０００×２０００画素の画像と称する）を、通常フレームレートｆ1で表示装置１３−１に出力する。
【００３４】
ここで、４０００×２０００画素の画像は、厳密に画素数が４０００×２０００画素で構成される画像を意味するのではなく、HD画像である１９２０×１０８０画素で構成される画像の水平方向および垂直方向それぞれについて画素数が２倍、即ち、３８４０×２１６０画素で構成される画像を意味する。従って、４０００×２０００画素の画像は、１９２０×１０８０画素で構成されるHD画像に対して、４倍の解像度となる。なお、以下では、１９２０×１０８０画素で構成される画像についても、簡単のため、２０００×１０００画素の画像と称する。
【００３５】
第２の接続形態は、図３に示すように、画像再生装置１２に対して、通常フレームレートｆ1で２０００×１０００画素の画像を表示可能な４台の表示装置１３−２（以下、適宜、表示装置１３−２A乃至１３−２Dと称する）が接続された形態である。この場合、画像再生装置１２は、マルチ表示モードとして動作し、通常フレームレートｆ1で、４台の表示装置１３−２A乃至１３−２Dに同時に２０００×１０００画素の画像を出力する。
【００３６】
ここで、表示装置１３−２A乃至１３−２Dは、例えば、横及び縦方向にそれぞれ２台ずつ並ぶように２×２で配置され、４つの表示装置１３−２A乃至１３−２Dに表示される画像全体で１画面の情報となるような個別の画像が、表示装置１３−２A乃至１３−２Dそれぞれに表示される。
【００３７】
第３の接続形態は、図４に示すように、画像再生装置１２に対して、通常フレームレートｆ1の４倍のフレームレートｆ2で２０００×１０００画素の画像を表示可能な表示装置１３−３が接続された形態である。この場合、画像再生装置１２は、４倍速表示モードとして動作し、２０００×１０００画素の画像を、４倍のフレームレートｆ2で表示装置１３−３に出力する。例えば、通常フレームレートｆ1が６０Hzである場合、フレームレートｆ2（以下、適宜、４倍速フレームレートｆ2と称する）は２４０Hzである。
【００３８】
第４の接続形態は、図５に示すように、画像再生装置１２に対して、プロジェクタであって、通常フレームレートｆ1で２０００×１０００画素の画像を表示可能な４台の表示装置１３−４(以下、適宜、表示装置１３−４A乃至１３−４Dと称する）が接続され、４台の表示装置１３−４A乃至１３−４Dそれぞれは、互いにずれたタイミングでスクリーン２２の同一領域に画像を表示（投射）する形態である。この場合、画像再生装置１２は、プロジェクタ４倍速表示モードとして動作し、スクリーン２２上では、２０００×１０００画素の画像が、通常フレームレートｆ1の４倍速のフレームレートｆ2で表示されることになる。
【００３９】
なお、画像再生装置１２がプロジェクタ４倍速表示モードとして動作する場合、表示装置１３−４A乃至１３−４Dそれぞれには、同期回路２３から供給される外部同期信号（４倍速フレームレートｆ2と同一の周波数の同期信号）に同期して開口するシャッタ２１A乃至２１Dが取り付けられており、シャッタ２１A乃至２１Dが開口している場合のみ、表示装置１３−４A乃至１３−４Dから出射された画像に対応する光が、スクリーン２２上に投影される（即ち、スクリーン２２上に画像が表示される）。
【００４０】
また、同期回路２３は、シャッタ２１A乃至２１Dに供給するのと同一の外部同期信号を画像再生装置１２にも供給している。画像再生装置１２は、同期回路２３から供給される外部同期信号に同期して、表示装置１３−４A乃至１３−４Dに画像を出力する。
【００４１】
以上のように、画像再生装置１２は、表示装置１３との接続形態に合わせて、上述した４倍解像度表示モード、マルチ表示モード、４倍速表示モード、およびプロジェクタ４倍速表示モードの、４種類の表示モードを有している。
【００４２】
図６は、画像再生装置１２の詳細な構成例を示すブロック図である。
【００４３】
ストレージ機器１１が出力した画像は、画像再生装置１２の入力I/F部３１に供給される。入力I/F部３１は、例えば、IDE（Integrated Drive Electronics），SCSI(Small Computer System Interface)，USB（Universal Serial Bus）、またはIEEE（the Institute of Electrical and Electronic Engineers）1394などの規格に従い、データを授受するインタフェースである。また、入力I/F部３１は、イーサネット（登録商標）やファイバーチャンネルなどによるネットワークと接続し、データを授受するインタフェースであってもよい。
【００４４】
入力I/F部３１は、供給された画像（に対応するデータ）を画像処理部３２に供給する。なお、ストレージ機器１１から供給される画像に対応するデータは、ディジタル信号のデータであるものとするが、アナログ信号のデータであっても良く、その場合、入力I/F部３１は、入力されたアナログ信号のデータをA/D変換して、画像処理部３２に供給する。
【００４５】
画像処理部３２は、入力I/F部３１からの画像に対して、所定の処理を施し、メモリコントローラ３３に供給する。ここで、所定の処理とは、例えば、MPEG，JPEG(Joint Photographic Experts Group）、JPEG2000などの方式によりエンコードされた画像をデコードするデコード処理、画像のノイズを低減するノイズリダクション処理、画像の色合いやシャープネスを補正する補正処理などである。
【００４６】
メモリコントローラ３３は、現在設定されている表示モードにしたがい、フレームバッファ３４の制御を行う。即ち、メモリコントローラ３３は、現在設定されている表示モードに応じて、フレームバッファ３４を複数の領域に（仮想的に）分割する。また、メモリコントローラ３３は、制御部３８から供給されるモード情報が表す表示モードに基づき、同期信号制御部３７から供給される同期信号に同期して、画像処理部３２から供給される画像をフレームバッファ３４内の複数の領域のうちの所定の領域に書き込むと同時に、フレームバッファ３４内の複数の領域のうちのその他の所定の領域（書きこみを行っている領域と異なる領域）に記憶されている画像を読み出して、出力I/F部３５に供給する。
【００４７】
フレームバッファ３４は、SRAM(Static RAM(Read Only Memory))，DRAM(Dynamic RAM)、または SDRAM(Synchronous DRAM)などにより構成され、メモリコントローラ３３から供給される画像を記憶する。なお、フレームバッファ３４は、少なくとも４０００×２０００画素の画像を２枚分記憶する領域を有している。
【００４８】
出力I/F部３５は、メモリコントローラ３３から供給される画像を、所定の画像信号に変換し、（表示装置１３に）出力する。ここで、所定の画像信号とは、例えば、コンポジット信号、コンポーネント信号、アナログRGB信号などのアナログの画像信号、および、SDI（Serial Digital Interface），DVI(Digital Visual Interface)、HDMI（High-Definition Multimedia Interface）などの規格にしたがったディジタルの画像信号である。従って、出力I/F部２５は、D/A変換回路（不図示）を内部に有しており、アナログの画像信号として、画像を出力する場合には、メモリコントローラ３３から供給されたディジタルの画像信号（データ）をアナログの画像信号に変換してから出力する。
【００４９】
発振部３６は、所定の周波数の同期信号を生成し、同期信号制御部３７に供給する。ここで、発振部３６が生成する同期信号の周波数は、４倍速フレームレートｆ2に対応する周波数F2である。
【００５０】
同期信号制御部３７は、制御部３８から供給されるモード情報にしたがい、画像再生装置１２の外部（上述した図５の同期回路２３）から入力される外部同期信号か、または発振部３６から入力される周波数F2の内部同期信号のいずれかを選択し、選択した同期信号をメモリコントローラ３３に供給する。
【００５１】
また、同期信号制御部３７は、内部に分周回路（不図示）を有しており、モード情報によって、４倍速フレームレートｆ2に対応する周波数F2の内部同期信号を４分周して、通常フレームレートｆ1に対応する周波数F1の内部同期信号を、メモリコントローラ３３に供給する。なお、同期信号制御部３７は、外部同期信号を分周することもできる。
【００５２】
具体的には、同期信号制御部３７は、制御部３８から供給されたモード情報が４倍解像度表示モードまたはマルチ表示モードを表す場合には、通常フレームレートｆ1（第１のフレームレート）に対応する周波数F1の内部同期信号をメモリコントローラ３３に供給する。
【００５３】
また、同期信号制御部３７は、制御部３８から供給されたモード情報が４倍速表示モードを表す場合には、４倍速フレームレートｆ2（第２のフレームレート）に対応する周波数F2の内部同期信号をメモリコントローラ３３に供給する。
【００５４】
さらに、同期信号制御部３７は、制御部３８から供給されたモード情報がプロジェクタ４倍速表示モードを表す場合、そこに入力される所定の周波数の外部同期信号を、メモリコントローラ３３に供給する。なお、ここで入力される外部同期信号の周波数は、上述した４倍速表示モードの場合と同様の、４倍速フレームレートｆ2（第３のフレームレート）に対応する周波数F2である。
【００５５】
なお、以下では、同期信号制御部３７がメモリコントローラ３３に供給する内部同期信号または外部同期信号を特に区別する必要がない場合、単に同期信号と称する。
【００５６】
制御部３８は、記憶部４０に記憶されている所定のプログラムが実行されることにより、画像再生装置１２の各部を制御する。例えば、制御部３８は、操作部３９から供給された所定の表示モード（ユーザにより選択された表示モード）を表す操作信号に応じて、その表示モードを表すモード情報を、メモリコントローラ３３および同期信号制御部３７に供給する。
【００５７】
操作部３９は、キーボード、マウス、操作ボタンなどからなり、ユーザの操作を受け付ける。例えば、ユーザが、画像再生装置１２の後段に接続した表示装置１３（表示装置１３−１乃至１３−４のいずれか）に応じて、複数の表示モードのなかから、１つの表示モードを選択（指定）する操作を行った場合、操作部３９は、ユーザの操作に対応して、１つの表示モードを選択し、その選択した表示モードを表す操作信号を制御部３８に供給する。
【００５８】
記憶部４０は、画像再生装置１２を制御する所定のプログラムなどを記憶する。この記憶部４０には、必要に応じて、ドライブ４１が接続され、ドライブ４１に装着された磁気ディスク（フロッピディスクを含む）、光ディスク（CD-ROM(Compact Disk-Read Only Memory),DVD(Digital Versatile Disk)を含む）、光磁気ディスク（MD（Mini-Disk）（商標）を含む）、或いは半導体メモリなどのリムーバブルメディア（記録媒体）４２から、プログラムや設定値などのデータが、適宜インストールされる。
【００５９】
以上のように構成される画像再生装置１２では、ユーザにより操作部３９で操作された表示モードとなるように、制御部３８が、モード情報をメモリコントローラ３３および同期信号制御部３７に供給する。同期信号制御部３７は、モード情報に従い、周波数F1または周波数F2の同期信号をメモリコントローラ３３に供給する。
【００６０】
メモリコントローラ３３は、画像処理部３２から供給される画像を、周波数F1または周波数F2の同期信号にしたがい、フレームバッファ３４への書き込みまたは読み出しを行う。
【００６１】
次に、図７乃至図１４を参照して、各表示モード（４倍解像度表示モード、マルチ表示モード、４倍速表示モード、およびプロジェクタ４倍速表示モード）における、メモリコントローラ３３のフレームバッファ３４の制御ついて詳細に説明する。
【００６２】
始めに、図７および図８を参照して、表示モードが４倍解像度表示モードである場合の、メモリコントローラ３３によるフレームバッファ３４の制御について説明する。
【００６３】
表示モードが４倍解像度表示モードである場合、メモリコントローラ３３は、図７に示すように、フレームバッファ３４を、仮想的に２つの領域３４Aと領域３４Bに分割する。ここで、フレームバッファ３４は、４０００×２０００画素で構成される画像を２枚分記憶する領域を有するので、領域３４Aおよび領域３４Bは、４０００×２０００画素で構成される画像が１枚ずつ記憶可能な領域となる。
【００６４】
４倍解像度表示モードでは、ストレージ機器１１から入力され、画像処理部３２において所定の画像処理が施された４０００×２０００画素の画像が、メモリコントローラ３３に順次供給される。
【００６５】
メモリコントローラ３３は、同期信号制御部３７から供給される周波数F1の同期信号にしたがい、画像処理部３２から供給される４０００×２０００画素の画像を、フレームバッファ３４の２つの領域３４Aおよび領域３４Bに交互に書き込む。それと同時に、メモリコントローラ３３は、フレームバッファ３４の２つの領域３４Aおよび領域３４Bのうちの、書き込みが行われていない他方の領域３４Aまたは領域３４Bに記憶されている４０００×２０００画素の画像を読み出し、出力I/F部３５に供給する。
【００６６】
図８は、メモリコントローラ３３がフレームバッファ３４内の２つの領域３４Aおよび領域３４Bに対して、画像を読み出すおよび書き込むタイミングを説明する図である。
【００６７】
図８に示すように、周期T1＝（１／F1）の同期信号VSyncが、メモリコントローラ３３に供給される。
【００６８】
メモリコントローラ３３は、例えば、同期信号VSyncの立ち上がりエッジとなる時刻ｔ11において、領域３４Aに記憶されている４０００×２０００画素の画像の読み出しを開始する。また、時刻ｔ11において、メモリコントローラ３３は、画像処理部３２から供給された４０００×２０００画素の画像の領域３４Bへの書き込みを開始する。
【００６９】
時刻ｔ11からT1時間後の時刻ｔ12（同期信号VSyncの時刻ｔ11後の次の立ち上がりエッジ）において、領域３４Aからの画像の読み出しおよび領域３４Bへの画像の書き込みが終了する。そして、メモリコントローラ３３は、時刻ｔ12において、領域３４Bに記憶されている４０００×２０００画素の画像の読み出しを開始するとともに、画像処理部３２から次に供給される４０００×２０００画素の画像の領域３４Aへの書き込みを開始する。
【００７０】
時刻ｔ12からT1時間後の時刻ｔ13（同期信号VSyncの時刻ｔ12後の次の立ち上がりエッジ）において、領域３４Bからの画像の読み出しおよび領域３４Aへの画像の書き込みが終了する。そして、メモリコントローラ３３は、時刻ｔ13において、領域３４Aに記憶されている４０００×２０００画素の画像の読み出しを開始するとともに、画像処理部３２から次に供給される４０００×２０００画素の画像の領域３４Bへの書き込みを開始する。以下同様に、メモリコントローラ３３は、領域３４Aおよび領域３４Bへの画像の読み出しおよび書き込みを交互に行う。
【００７１】
メモリコントローラ３３が、上述したようにフレームバッファ３４の領域３４Aおよび３４Bに対して画像の読み出しおよび書き込みを行う（制御する）ことにより、表示装置１３−１（図２）に、通常フレームレートｆ1（例えば、６０Hz）で４０００×２０００画素の画像を表示させることができる。即ち、表示装置１３−１では、２０００×１０００画素の画像の４倍の解像度で画像を表示することができる。
【００７２】
次に、図９および図１０を参照して、表示モードがマルチ表示モードである場合の、メモリコントローラ３３によるフレームバッファ３４の制御について説明する。
【００７３】
表示モードがマルチ表示モードである場合、メモリコントローラ３３は、図９に示すように、フレームバッファ３４を、仮想的に８つの領域３４A’乃至領域３４H’に分割する。ここで、フレームバッファ３４は、４０００×２０００画素で構成される画像を２枚分記憶する領域を有するので、領域３４A’乃至領域３４H’それぞれは、２０００×１０００画素で構成される画像が１枚だけ記憶可能な領域となる。
【００７４】
マルチ表示モードでは、ストレージ機器１１から入力され、画像処理部３２において所定の画像処理が施された４０００×２０００画素の画像が、メモリコントローラ３３に順次供給される。
【００７５】
メモリコントローラ３３は、同期信号制御部３７から供給される周波数F1の同期信号にしたがい、画像処理部３２から供給される４０００×２０００画素の画像を、縦（垂直）方向および横（水平）方向それぞれに２分して４つの２０００×１０００画素の画像とし、その４つの２０００×１０００画素の画像を、フレームバッファ３４の４つの領域３４A’乃至領域３４D’または領域３４E’乃至領域３４H’に書き込む。それと同時に、メモリコントローラ３３は、フレームバッファ３４の８つの領域３４A’乃至領域３４H’のうちの書き込みが行われていない４つの領域３４A’乃至領域３４D’または領域３４E’乃至領域３４H’それぞれに記憶されている２０００×１０００画素の画像を読み出し、出力I/F部３５に供給する。
【００７６】
図１０は、メモリコントローラ３３がフレームバッファ３４内の８つの領域３４A’乃至領域３４H’に対して、画像を読み出すおよび書き込むタイミングを説明する図である。
【００７７】
図１０に示すように、周期T1＝（１／F1）の同期信号VSyncが、メモリコントローラ３３に供給される。
【００７８】
メモリコントローラ３３は、例えば、同期信号VSyncの立ち上がりエッジとなる時刻ｔ21において、領域３４A’乃至３４D’それぞれに記憶されている２０００×１０００画素の画像の読み出しを開始する。また、メモリコントローラ３３は、時刻ｔ21において、画像処理部３２から供給された４０００×２０００画素の画像を４分して得られる４つの２０００×１０００画素の画像の領域３４E’乃至３４H’それぞれへの書き込みを開始する。
【００７９】
時刻ｔ21からT1時間後の時刻ｔ22（同期信号VSyncの時刻ｔ21後の次の立ち上がりエッジ）において、領域３４A’乃至３４D’からの画像の読み出しおよび領域３４E’乃至３４H’への画像の書き込みが終了する。そして、メモリコントローラ３３は、時刻ｔ22において、領域３４E’乃至３４H’それぞれに記憶されている２０００×１０００画素の画像の読み出しを開始するとともに、画像処理部３２から次に供給される４０００×２０００画素の画像を４分して得られる４つの２０００×１０００画素の画像の領域３４A’乃至３４D’それぞれへの書き込みを開始する。
【００８０】
時刻ｔ22からT1時間後の時刻ｔ23（同期信号VSyncの時刻ｔ22後の次の立ち上がりエッジ）において、領域３４E’乃至３４H’からの画像の読み出しおよび領域３４A’乃至３４D’への画像の書き込みが終了する。そして、メモリコントローラ３３は、時刻ｔ23において、領域３４A’乃至３４D’それぞれに記憶されている２０００×１０００画素の画像の読み出しを開始するとともに、画像処理部３２から次に供給される４０００×２０００画素の画像を４分して得られる４つの２０００×１０００画素の画像の領域３４E’乃至３４H’への書き込みを開始する。以下同様に、メモリコントローラ３３は、領域３４A’乃至領域３４H’への画像の読み出しおよび書き込みを交互に行う。
【００８１】
メモリコントローラ３３が、上述したようにフレームバッファ３４の領域３４A’乃至領域３４H’に対して画像の読み出しおよび書き込みを行う（制御する）。そして、メモリコントローラ３３から画像が供給される出力I/F部３５では、領域３４A’および領域３４E’に記憶されていた画像は、表示装置１３−２A（図３）に出力され、領域３４B’および領域３４F’に記憶されていた画像は、表示装置１３−２Bに出力され、領域３４C’および領域３４G’に記憶されていた画像は、表示装置１３−２Cに出力され、領域３４D’および領域３４F’に記憶されていた画像は、表示装置１３−２Dに出力されるようになされている。
【００８２】
これにより、表示装置１３−２A乃至１３−２Dそれぞれに、通常フレームレートｆ1（例えば、６０Hz）で２０００×１０００画素の画像を同時に表示させることができる。この場合、表示装置１３−２A乃至１３−２Dに同時に表示された４つの画像全体で１つの情報を表す画面を構成する。
【００８３】
次に、図１１および図１２を参照して、表示モードが４倍速表示モードである場合の、メモリコントローラ３３によるフレームバッファ３４の制御について説明する。
【００８４】
表示モードが４倍速表示モードである場合、メモリコントローラ３３は、図１１に示すように、フレームバッファ３４を、マルチ表示モードにおける場合と同様に、仮想的に８つの領域３４A’乃至領域３４H’に分割する。
【００８５】
４倍速表示モードでは、ストレージ機器１１から入力され、画像処理部３２において所定の画像処理が施された２０００×１０００画素の画像が、メモリコントローラ３３に順次供給される。
【００８６】
メモリコントローラ３３は、同期信号制御部３７から供給される周波数F2の同期信号にしたがい、画像処理部３２から順次供給される２０００×１０００画素の画像それぞれを、フレームバッファ３４の８つの領域３４A’乃至領域３４H’の順に書き込む。また、メモリコントローラ３３は、画像を書き込んだタイミングから１周期遅れたタイミングにおいて、８つの領域３４A’乃至領域３４H’に記憶されている画像を順次読み出し、出力I/F部３５に供給する。
【００８７】
図１２は、メモリコントローラ３３がフレームバッファ３４内の８つの領域３４A’乃至領域３４H’に対して、画像を読み出すおよび書き込むタイミングを説明する図である。
【００８８】
図１２に示すように、周期T2＝（１／F2＝T1／４）の同期信号VSync’が、メモリコントローラ３３に供給される。
【００８９】
メモリコントローラ３３は、例えば、同期信号VSync’の立ち上がりエッジとなる時刻ｔ31において、領域３４A’に記憶されている０００×１０００画素の画像の読み出しを開始するとともに、画像処理部３２から供給される２０００×１０００画素の画像の領域３４B’への書き込みを開始する。
【００９０】
時刻ｔ31からT2時間後の時刻ｔ32（同期信号VSync’の時刻ｔ31後の次の立ち上がりエッジ）において、領域３４A’からの画像の読み出しおよび領域３４B’への書き込みが終了する。そして、メモリコントローラ３３は、時刻ｔ32において、領域３４B’に記憶されている２０００×１０００画素の画像の読み出しを開始するとともに、画像処理部３２から次に供給される２０００×１０００画素の画像の領域３４C’への書き込みを開始する。
【００９１】
時刻ｔ32からT2時間後の時刻ｔ33（同期信号VSync’の時刻ｔ32後の次の立ち上がりエッジ）において、領域３４B’からの画像の読み出しおよび領域３４C’への画像の書き込みが終了する。以下同様に、メモリコントローラ３３は、領域３４C’乃至領域３４H’それぞれからの画像の読み出し、および領域３４D’乃至領域３４H’それぞれへの画像の書き込みを順に行う。
【００９２】
また、時刻ｔ38において、領域３４H’への画像の書き込みが終了した後は、メモリコントローラ３３は、再度領域３４A’に画像処理部３２から供給される画像の書き込みを開始する。さらに、時刻ｔ39において、領域３４H’からの画像の読み出しが終了した後は、メモリコントローラ３３は、再度領域３４A’から画像の読み出しを開始する。即ち、８つの領域３４A’乃至領域３４H’において、画像の書き込みおよび読み出しが循環して行われる。
【００９３】
以上のように、メモリコントローラ３３が、フレームバッファ３４に対して周期T2で２０００×１０００画素の画像の書き込みおよび読み出しを行う（制御する）ことにより、表示装置１３−３（図４）に、４倍速フレームレートｆ2（例えば、２４０Hz）で２０００×１０００画素の画像を表示させることができる。
【００９４】
なお、領域３４A’乃至領域３４H’それぞれに記憶された画像の読み出しを開始するタイミングは、図１２に示したように、画像の書きこみを開始したタイミングの１周期遅れたタイミングとしたが、２乃至７周期のいずれかの周期だけ遅れたタイミングであってもよい。換言すれば、領域３４A’乃至領域３４H’において、画像の書き込みを開始するタイミングと読み出しを開始するタイミングとの間隔は、１×T2周期乃至７×T2周期のいずれでもよい。但し、領域３４A’乃至領域３４H’では、画像の書き込みを開始するタイミングと読み出しを開始するタイミングとの間隔が同一である必要がある。
【００９５】
次に、図１３および図１４を参照して、表示モードがプロジェクタ４倍速表示モードである場合の、メモリコントローラ３３によるフレームバッファ３４の制御について説明する。
【００９６】
表示モードがプロジェクタ４倍速表示モードである場合、メモリコントローラ３３は、図１３に示すように、フレームバッファ３４を、マルチ表示モードにおける場合と同様に、仮想的に８つの領域３４A’乃至領域３４H’に分割する。
【００９７】
プロジェクタ４倍速表示モードでは、ストレージ機器１１から入力され、画像処理部３２において所定の画像処理が施された２０００×１０００画素の画像が、メモリコントローラ３３に順次供給される。
【００９８】
メモリコントローラ３３は、同期信号制御部３７から供給される周波数F2の同期信号にしたがい、画像処理部３２から順次供給される２０００×１０００画素の画像それぞれを、フレームバッファ３４の８つの領域３４A’乃至領域３４H’の順に書き込む。また、メモリコントローラ３３は、画像を書き込んだタイミングから４周期遅れたタイミングにおいて、８つの領域３４A’乃至領域３４H’それぞれに記憶されている画像を読み出し、出力I/F部３５に供給する。
【００９９】
図１４は、メモリコントローラ３３がフレームバッファ３４内の８つの領域３４A’乃至領域３４H’に対して、画像を読み出すおよび書き込むタイミングを説明する図である。
【０１００】
図１４に示すように、周期T2＝（１／F2＝T1／４）の同期信号VSync”が、メモリコントローラ３３に供給される。
【０１０１】
メモリコントローラ３３は、例えば、同期信号VSync”の立ち上がりエッジとなる時刻ｔ41において、領域３４A’に記憶されている２０００×１０００画素の画像の読み出しを開始するとともに、画像処理部３２から供給される２０００×１０００画素の画像の領域３４E’への書き込みを開始する。
【０１０２】
時刻ｔ41からT2時間後の時刻ｔ42（同期信号VSync”の時刻ｔ41後の次の立ち上がりエッジ）において、領域３４B’に記憶されている２０００×１０００画素の画像の読み出しを開始するとともに、画像処理部３２から次に供給される２０００×１０００画素の画像の領域３４F’への書き込みを開始する。
【０１０３】
時刻ｔ42からT2時間後の時刻ｔ43（同期信号VSync”の時刻ｔ42後の次の立ち上がりエッジ）において、領域３４C’に記憶されている２０００×１０００画素の画像の読み出しを開始するとともに、画像処理部３２から次に供給される２０００×１０００画素の画像の領域３４G’への書き込みを開始する。
【０１０４】
時刻ｔ43からT2時間後の時刻ｔ44（同期信号VSync”の時刻ｔ43後の次の立ち上がりエッジ）において、領域３４D’に記憶されている２０００×１０００画素の画像の読み出しを開始するとともに、画像処理部３２から次に供給される２０００×１０００画素の画像の領域３４H’への書き込みを開始する。
【０１０５】
時刻ｔ44からT2時間後の時刻ｔ45（同期信号VSync”の時刻ｔ44後の次の立ち上がりエッジ）において、時刻ｔ41で開始された領域３４A’からの２０００×１０００画素の画像の読み出しおよび領域３４E’への２０００×１０００画素の画像の書き込みが終了するとともに、領域３４E’に記憶されている画像の読み出しを開始し、画像処理部３２から供給される２０００×１０００画素の画像の領域３４A’への書き込みを開始する。
【０１０６】
時刻ｔ45からT2時間後の時刻ｔ46（同期信号VSync”の時刻ｔ45後の次の立ち上がりエッジ）において、時刻ｔ42で開始された領域３４B’からの２０００×１０００画素の画像の読み出しおよび領域３４F’への２０００×１０００画素の画像の書き込みが終了するとともに、領域３４F’に記憶されている画像の読み出しを開始し、画像処理部３２から供給される２０００×１０００画素の画像の領域３４B’への書き込みを開始する。
【０１０７】
以下同様にして、メモリコントローラ３３は、領域３４A’乃至領域３４H’に対する画像の書き込みおよび読み出しを行う。従って、領域３４A’乃至領域３４H’のそれぞれでは、画像の読み出しまたは書き込みが４×T2周期で行われる。
【０１０８】
また、周波数F2の同期信号は、上述したように、シャッタ２１A乃至２１Dそれぞれにも供給されており、シャッタ２１A乃至２１Dは、周波数F2の同期信号に同期して、T2周期と同一の時間だけ順にシャッタを開口する。
【０１０９】
即ち、図１４に示すように、時刻ｔ41乃至時刻ｔ42において、シャッタ２１Aが開口し、時刻ｔ42乃至時刻ｔ43において、シャッタ２１Bが開口し、時刻ｔ43乃至時刻ｔ44において、シャッタ２１Cが開口し、時刻ｔ44乃至時刻ｔ45において、シャッタ２１Dが開口し、時刻ｔ45乃至時刻ｔ46において、シャッタ２１Aが再び開口する。以下、同様に、繰り返される。
【０１１０】
この場合、シャッタ２１Aが開口している時刻ｔ45乃至時刻ｔ46においては、スクリーン２２（図５）上に、時刻ｔ45で読み出しが完了した領域３４A’に記憶されていた画像が投射されている。そして、シャッタ２１Bが開口している時刻ｔ46乃至時刻ｔ47においては、スクリーン２２上に、時刻ｔ46で読み出しが完了した領域３４B’に記憶されていた画像が投射されている。
【０１１１】
続いて、シャッタ２１Cが開口している時刻ｔ47乃至時刻ｔ48においては、スクリーン２２上に、時刻ｔ47で読み出しが完了した領域３４C’に記憶されていた画像が投射されている。そして、シャッタ２１Dが開口している時刻ｔ48乃至時刻ｔ49においては、スクリーン２２上に、時刻ｔ48で読み出しが完了した領域３４D’に記憶されていた画像が投射されている。
【０１１２】
従って、スクリーン２２上では、２０００×１０００画素の画像がT2周期で表示（更新）されることとなり、通常フレームレートｆ1で２０００×１０００画素の画像を表示可能な４台の表示装置１３−４A乃至１３−４Dを用いて、４倍速フレームレートｆ2（例えば、２４０Hz）の画像の表示をしていることになる。
【０１１３】
以上のように、メモリコントローラ３３が、フレームバッファ３４に対して周期T2で画像の書き込みおよび読み出しを行う（制御する）ことにより、スクリーン２２上に、４倍速フレームレートｆ2（例えば、２４０Hz）で２０００×１０００画素の画像を表示させることができる。
【０１１４】
次に、図１５のフローチャートを参照して、画像再生装置１２が、表示装置１３に出力する画像（に対応するデータ）を制御する画像出力制御処理について説明する。なお、この処理が開始される時点において、ユーザが操作部３９を操作することにより、４倍解像度表示モード、マルチ表示モード、４倍速表示モード、およびプロジェクタ４倍速表示モードのなかから、いずれか１つの表示モードが選択（指定）されているものとする。
【０１１５】
初めに、ステップＳ１において、制御部３８は、ユーザにより操作部３９が操作されて設定されている、４倍解像度表示モード、マルチ表示モード、４倍速表示モード、およびプロジェクタ４倍速表示モードのなかの、いずれか１つの表示モードを表すモード情報をメモリコントローラ３３および同期信号制御部３７に供給して、ステップＳ２に進む。
【０１１６】
ステップＳ２において、同期信号制御部３７は、制御部３８から供給されたモード情報が４倍速表示モードまたはプロジェクタ４倍速表示モードを表しているか否かを判定する。ステップＳ２で、モード情報が４倍速表示モードまたはプロジェクタ４倍速表示モードを表していないと判定された場合、即ち、表示モードが４倍解像度表示モードまたはマルチ表示モードである場合、ステップＳ３に進み、同期信号制御部３７は、発振部３６から供給される周波数F2の内部同期信号を選択するとともに、周波数F2の内部同期信号を４分周して、ステップＳ７に進む。
【０１１７】
一方、ステップＳ２で、モード情報が４倍速表示モードまたはプロジェクタ４倍速表示モードを表していると判定された場合、即ち、表示モードが４倍速表示モードまたはプロジェクタ４倍速表示モードである場合、ステップＳ４に進み、同期信号制御部３７は、さらに表示モードがプロジェクタ４倍速表示モードであるか否かを判定する。ステップＳ４において、表示モードがプロジェクタ４倍速表示モードではないと判定された場合、即ち、表示モードが４倍速表示モードである場合、ステップＳ５に進み、同期信号制御部３７は、発振部３６から供給される周波数F2の内部同期信号を選択して、ステップＳ７に進む。
【０１１８】
一方、ステップＳ４で、表示モードがプロジェクタ４倍速表示モードであると判定された場合、ステップＳ６に進み、同期信号制御部３７は、同期回路２３から供給される周波数F2の外部同期信号を選択して、ステップＳ７に進む。
【０１１９】
ステップＳ７において、同期信号制御部３７は、表示モードに応じた同期信号をメモリコントローラ３３に供給（出力）する。即ち、ステップＳ７では、表示モードが４倍解像度表示モードまたはマルチ表示モードである場合には、通常フレームレートｆ1に対応する周波数F1の内部同期信号が、メモリコントローラ３３に供給される。表示モードが４倍速表示モードである場合には、４倍速フレームレートｆ2に対応する周波数F2の内部同期信号がメモリコントローラ３３に供給される。または、表示モードがプロジェクタ４倍速表示モードである場合には、同期回路２３から供給された周波数F2の外部同期信号が、メモリコントローラ３３に供給される。
【０１２０】
ステップＳ７の処理後、ステップＳ８において、メモリコントローラ３３は、ステップＳ１の処理で制御部３８から供給されたモード情報が表す表示モードに応じて、フレームバッファ３４を複数の領域に分割して、ステップＳ９に進む。即ち、ステップＳ９では、表示モードが４倍解像度表示モードである場合、メモリコントローラ３３は、４０００×２０００画素で構成される１枚の画像がそれぞれ記憶可能な領域３４Aおよび領域３４Bにフレームバッファ３４を分割する。また、表示モードがマルチ表示モード、４倍速表示モード、またはプロジェクタ４倍速表示モードである場合、メモリコントローラ３３は、２０００×１０００画素で構成される１枚の画像がそれぞれ記憶可能な領域３４A’乃至領域３４H’にフレームバッファ３４を分割する。
【０１２１】
ステップＳ９において、メモリコントローラ３３は、画像処理部３２から画像（に対応するデータ）が供給されたか否かを判定し、画像が供給されるまで待機する。
【０１２２】
ステップＳ９において、画像処理部３２から画像が供給されたと判定された場合、ステップＳ１０に進み、メモリコントローラ３３は、図７乃至図１４を参照して説明したように、表示モードにしたがい、フレームバッファ３４の分割された領域（領域３４Aおよび領域３４B、または、領域３４A’乃至領域３４H’）の所定の領域に対して、供給された画像の書き込み、および、画像の読み出しを行う。なお、ステップＳ９の最初の処理では、フレームバッファ３４には、何の画像も記憶されていないので、画像処理部３２から供給された画像のフレームバッファ３４への書き込みだけが行われる。
【０１２３】
ステップＳ１０の処理後、ステップＳ１１において、メモリコントローラ３３は、処理を終了するか否か、即ち、画像処理部３２から画像が供給されなくなったか否かを判定し、処理を終了しないと判定した場合、即ち、画像処理部３２から継続して画像が供給されてくる場合、ステップＳ１０に処理を戻し、ステップＳ１０およびＳ１１の処理を繰り返す。
【０１２４】
一方、ステップＳ１１において、処理が終了したと判定された場合、即ち、画像処理部３２から画像が供給されなくなった場合、画像出力制御処理が終了する。
【０１２５】
以上のように、画像再生装置１２の画像出力制御処理によれば、表示装置１３との接続形態に合わせた表示モードで、即ち、４倍解像度表示モード、マルチ表示モード、４倍速表示モード、またはプロジェクタ４倍速表示モードで、画像を（出力I/F部３５を介して）表示装置１３に出力することができる。
【０１２６】
従って、１台の装置（画像再生装置１２）で、複数の画像の表示方式に対応する画像（に対応するデータ）の出力を可能とすることができる。
【０１２７】
これにより、例えば、いわゆるシネマコンプレックスなどのように、複数の上映場（スクリーン）をもつ映画館などで、映画ごとに表示方式が異なり、同時に上映する映画の内容や、観客の人数などにより、どの上映場でどの映画を上映するか、即ち、どの上映場でどの表示方式で上映するかを、その都度変更する場合などであっても、同一の画像再生装置１２を全ての上映場に設置し、設置された画像再生装置１２の設定（表示モード）を変更するだけで表示方式の変更に対応することができる。
【０１２８】
また、短期的なイベントなどで画像を表示する場合などでは、１台の画像再生装置１２を用意しておくだけで、多様な表示方式に対応することができるようになる。
【０１２９】
なお、上述した実施の形態では、画像再生装置１２がストレージ機器１１と接続され、画像再生装置１２は、ストレージ機器１１から画像（に対応するデータ）を供給してもらうようになされていたが、画像再生装置１２に画像を供給する供給方法は、これに限らない。
【０１３０】
例えば、図１６に示すように、受信装置５３が、画像（に対応するデータ）を配信する配信サーバ５１からネットワーク５２を介して画像を受信し、画像再生装置１２に供給するようにすることもできる。
【０１３１】
即ち、図１６は、本発明を適用した画像処理システム１のその他の実施の形態の構成例を示している。なお、図１と対応する部分については、同一の符号を付してあり、その説明を省略する。
【０１３２】
図１６の画像処理システム１では、配信サーバ５１は、所定の画像を蓄積し、定期的に、または、受信装置５３からの要求に応じて、画像を受信装置５３に送信（配信）する。
【０１３３】
受信装置５３は、ネットワーク５２を介して、配信サーバ５１から送信された画像を受信し、画像再生装置１２に供給する。ここで、ネットワーク５２は、FDDI（Fiber Distributed Data Interface）などの光ファイバ網、衛星通信網、イーサネット（登録商標）、LAN（Local Area Network）、またはインターネットなどの各種の専用または公衆回線網である。
【０１３４】
以上のように、フレームバッファ３４は、少なくとも８０００×４０００画素（Ｎ＝４０００×２０００とした場合、２Ｎ）の画素数分のデータ（画像データ）を記憶する領域を有しており、複数の表示モードのなかから、１つの表示モードが選択された場合、同期信号制御部３７は、選択された表示モードに対応する同期信号を出力し、メモリコントローラ３３は、選択された表示モードに対応してフレームバッファ３４を複数の領域に分割するとともに、同期信号制御部３７が出力する同期信号に同期して、複数の領域に対する画像の読み出しおよび書きこみを制御する。
【０１３５】
例えば、操作部３９において、４倍解像度表示モードが選択された場合、同期信号制御部３７は、通常フレームレートｆ1に対応する同期信号をメモリコントローラ３３に出力し、メモリコントローラ３３は、フレームバッファ３４を、それぞれが４０００×２０００（＝Ｎ）画素で構成される画像を記憶する２つの領域３４Aおよび３４Bに分割するとともに、同期信号制御部３７が出力する同期信号に同期して、分割された２つの領域３４Aおよび３４Bに対して交互に、４０００×２０００画素で構成される画像の読み出しおよび書きこみを通常フレームレートｆ1で行うように制御する。
【０１３６】
また例えば、操作部３９において、マルチ表示モードが選択された場合、同期信号制御部３７は、通常フレームレートｆ1に対応する同期信号をメモリコントローラ３３に出力し、メモリコントローラ３３は、フレームバッファ３４を、それぞれが２０００×１０００（＝Ｎ／２）画素で構成される画像を記憶する８つの領域３４A’乃至領域３４H’に分割するとともに、分割された８つの領域３４A’乃至領域３４H’を４つの表示装置１３−２A乃至１３−２Dに対して２つずつ割り当て、同期信号制御部３７が出力する同期信号に同期して、４つの表示装置１３−２A乃至１３−２Dそれぞれに割り当てられた２つの領域３４A’および領域３４E’、領域３４B’および領域３４F’、領域３４C’および領域３４G’、並びに領域３４D’および領域３４F’に対して交互に、２０００×１０００画素で構成される画像の読み出しおよび書きこみを通常フレームレートｆ1で行うように制御する。
【０１３７】
例えば、操作部３９において、４倍速表示モードが選択された場合、同期信号制御部３７は、４倍速フレームレートｆ2に対応する同期信号をメモリコントローラ３３に出力し、メモリコントローラ３３は、フレームバッファ３４を、それぞれが２０００×１０００（＝Ｎ／２）画素で構成される画像を記憶する８つの領域３４A’乃至領域３４H’に分割するとともに、同期信号制御部３７が出力する同期信号に同期して、分割された８つの領域３４A’乃至領域３４H’に対して順に、２０００×１０００画素で構成される画像の読み出しおよび書きこみを４倍速フレームレートｆ2で行うように制御する。
【０１３８】
さらに例えば、操作部３９において、プロジェクタ４倍速表示モードが選択された場合、同期信号制御部３７は、同期回路２３から入力される、４倍速フレームレートｆ2に対応する同期信号をメモリコントローラ３３に出力し、メモリコントローラ３３は、フレームバッファ３４を、それぞれが２０００×１０００（＝Ｎ／２）画素で構成される画像を記憶する８つの領域３４A’乃至領域３４H’に分割するとともに、同期信号制御部３７が出力する同期信号（外部同期信号）に同期して、分割された８つの領域３４A’乃至領域３４H’に対して順に２０００×１０００画素で構成される画像の読み出しおよび書きこみを４倍速フレームレートｆ2で行うように制御し、４倍速フレームレートｆ2でフレームバッファ３４から読み出された２０００×１０００画素で構成される画像が、表示装置１３−４A乃至１３−４Dに順に出力される。
【０１３９】
なお、上述した例では、Ｎで表される画素数を４０００×２０００画素とした場合の例について説明したが、このＮは、その他の画素数とすることも勿論可能である。
【０１４０】
上述した一連の処理は、専用のハードウエアにより実行させることもできるし、ソフトウエアにより実行させることもできる。一連の処理をソフトウエアによって行う場合、例えば、その一連の処理は、図１７に示されるような（パーソナル）コンピュータにプログラムを実行させることにより実現することができる。
【０１４１】
図１７において、CPU（Central Processing Unit）１０１は、ROM（Read Only Memory）１０２に記憶されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０１４２】
CPU１０１、ROM１０２、およびRAM１０３は、バス１０４を介して相互に接続されている。このバス１０４にはまた、入出力インタフェース１０５も接続されている。
【０１４３】
入出力インタフェース１０５には、キーボード、マウスなどよりなる入力部１０６、CRT(Cathode Ray Tube)、LCD(Liquid Crystal display)などよりなるディスプレイ、並びにスピーカなどよりなる出力部１０７、ハードディスクなどより構成される記憶部１０８、ターミナルアダプタ、ADSL（Asymmetric Digital Subscriber Line）モデムや、LAN (Local Area Network)カード等より構成される通信部１０９が接続されている。通信部１０９は、インターネットなどの各種のネットワークを介しての通信処理を行う。
【０１４４】
入出力インタフェース１０５にはまた、必要に応じてドライブ１１０が接続され、磁気ディスク（フロッピディスクを含む）、光ディスク（CD-ROM(Compact Disk-Read Only Memory),DVD(Digital Versatile Disk)を含む）、光磁気ディスク（MD（Mini-Disk）（商標）を含む）、或いは半導体メモリなどのリムーバブルメディア（記録媒体）１２１が適宜装着され、それらから読み出されたコンピュータプログラムが、必要に応じて記憶部１０８にインストールされる。
【０１４５】
本明細書において、フローチャートに記述されたステップは、記載された順序に沿って時系列的に行われる処理はもちろん、必ずしも時系列的に処理されなくとも、並列的あるいは個別に実行される処理をも含むものである。
【０１４６】
また、本明細書において、システムとは、複数の装置により構成される装置全体を表すものである。
【図面の簡単な説明】
【０１４７】
【図１】本発明を適用した画像処理システム１の一実施の形態の構成例を示すブロック図である。
【図２】画像再生装置１２が選択可能な表示モードについて説明する図である。
【図３】画像再生装置１２が選択可能な表示モードについて説明する図である。
【図４】画像再生装置１２が選択可能な表示モードについて説明する図である。
【図５】画像再生装置１２が選択可能な表示モードについて説明する図である。
【図６】画像再生装置１２の詳細な構成例を示すブロック図である。
【図７】４倍解像度表示モードについて説明する図である。
【図８】４倍解像度表示モードについて説明する図である。
【図９】マルチ表示モードについて説明する図である。
【図１０】マルチ表示モードについて説明する図である。
【図１１】４倍速表示モードについて説明する図である。
【図１２】４倍速表示モードについて説明する図である。
【図１３】プロジェクタ４倍速表示モードについて説明する図である。
【図１４】プロジェクタ４倍速表示モードについて説明する図である。
【図１５】画像出力制御処理について説明するフローチャートである。
【図１６】本発明を適用した画像処理システム１のその他の実施の形態の構成例を示すブロック図である。
【図１７】本発明を適用したコンピュータの一実施の形態の構成例を示すブロック図である。
【符号の説明】
【０１４８】
１２  画像再生装置，  ３３  メモリコントローラ，  ３４  フレームバッファ，３７  同期信号制御部，  ３８  制御部，  ４０  記憶部，  ４１  ドライブ，  ４２  リムーバブルメディア
【図１】
2006301105.tif 000003
【図２】
2006301105.tif 000004
【図３】
2006301105.tif 000005
【図４】
2006301105.tif 000006
【図５】
2006301105.tif 000007
【図６】
2006301105.tif 000008
【図７】
2006301105.tif 000009
【図８】
2006301105.tif 000010
【図９】
2006301105.tif 000011
【図１０】
2006301105.tif 000012
【図１１】
2006301105.tif 000013
【図１２】
2006301105.tif 000014
【図１３】
2006301105.tif 000015
【図１４】
2006301105.tif 000016
【図１５】
2006301105.tif 000017
【図１６】
2006301105.tif 000018
【図１７】
2006301105.tif 000019